(57)【要約】      （修正有）【課題】電流容量を確保しつつ強度を低下させることなく、雌型端子の幅を小さくして、当該雌型端子の小型化と当該雌型端子の複数を設けて小型化したコネクタハウジングを提供する。【解決手段】同一厚みの一枚の金属板を正面視略「の」字状に折り曲げ加工して形成してなり、ハウジング内に所定の間隔を隔てて複数植設される電気コネクタの雌型端子1であって、その先端側に雄型端子の挿入口2を形成する一方、後端側に電線が接続される接続部3を設け、前記挿入口から後方に雄型端子の挿入空間を形成し、当該挿入空間の後部には、前記挿入空間を形成する側壁4B,4Cの上部から連続して当該挿入空間内に前記側壁と略平行となるように折り曲げられ、この折り曲げられた部位を、その厚み部分で前記雄型端子と電気的に接続する側面視略Ｕ字状の接触バネ5として設けてなることを特徴とする。【選択図】図４
2005174831.tif 000002
【特許請求の範囲】
【請求項１】
同一厚みの一枚の金属板を正面視略逆「の」字状に折り曲げ加工して形成してなり、ハウジング内に所定の間隔を隔てて複数植設される電気コネクタの雌型端子であって、
その先端側に雄型端子の挿入口を形成する一方、後端側に電線が電気的に接続される接続部を設け、
前記挿入口から後方に連続して雄型端子の挿入空間を形成し、
当該挿入空間の後部には、前記挿入空間を形成する側壁の上部から連続して当該挿入空間内に前記側壁と略平行となるように折り曲げられ、この折り曲げられた部位を、その厚み部分で前記雄型端子と電気的に接続する側面視略Ｕ字状の接触バネとして設けてなることを特徴とする電気コネクタの雌型端子。
【請求項２】
前記側面視略Ｕ字状の接触バネの前記挿入口側の先端部には、後方に向かって漸次に膨出するテーパ部を形成してなることを特徴とする請求項１に記載の雌型端子。
【請求項３】
前記側面視Ｕ字状の接触バネと略平行に位置する前記側壁には、前記接触バネの前記雄型端子の挿入凹部と幅方向で一致する位置に、前記挿入口から後方に連続して前記雄型端子の挿入用のスリットを形成することを特徴とする請求項１又は２に記載の電気コネクタの雌型端子。
【請求項４】
請求項１乃至３のいずれかに記載の雌型端子を含む電気コネクタであって、前記雌型端子の複数を所定のピッチを隔てて隣り合う雌型端子との絶縁状態を保持しつつ前後に貫通した雌型端子挿入穴を複数設けた第１のハウジングと、前記雌型端子と電気的に接続される雄型端子を前記所定のピッチと同一のピッチで複数植設した第２のハウジングからなり、前記第１のハウジングと第２のハウジングとを組み付けることによって、前記雌型端子と前記雄型端子との電気的接続をとることを特徴とする雌型端子を含む電気コネクタ。
【発明の詳細な説明】
【技術分野】
【０００１】
この発明は、車載用電子部品などに使用される電気コネクタの雄型端子及び当該端子を含む電気コネクタに関し、詳しくは、自動車用の雌型端子として好適な小型化した雌型端子及び雌型端子を含む小型化した電気的コネクタに関する。
【背景技術】
【０００２】
近年、家電用電子部品及び車載用電子部品などの電子部品は、半導体電子部品のワンチップ化や液晶などの表示装置の小型化技術の進歩、回路基板の多層配線技術の進歩などによって小型化がなされている。
【０００３】
これらの電子部品が実装される回路基板間の接続には、特許文献１に示すようなコネクタが使用される。このコネクタは、図１０の断面図に示すように、ハウジングＨ内に図１１に示す雌型端子Ａが図１０の奥行き方向に複数並設されており、この雌型端子Ａの夫々に雄型端子Ｂを挿入することによって、雄型端子Ｂ及び雌型端子Ａ間の電気的な接続をとるようにしているものである。
【０００４】
より詳しくは、図１０に示すように、雌型端子Ａは、ハウジングＨの収納室ｈに挿入できるように前半部が略箱形に形成され、前部に雄型端子Ｂを受け入れる受入口Ａ２が開口し、後部に電線Ｗを圧着する接続部Ａ３が設けられ、内部に、先端の接触部Ａ１−１が前方に延びて雄型端子Ｂに圧接する接触バネＡ１が設けられている。そして、前記接続部Ａ３は断面略Ｕ字形に形成されており、上端部を内側に曲げることで電線の芯線Ｗを圧着することによって電気的に接続するようにしてある。
【０００５】
前記雌型端子Ａは、図１２に示すように、一枚の金属板から成形されている。すなわち、図１２に雌型端子Ａを展開状にして図示しているように、ランナＣに複数の展開状の雌型端子Ａ，・・・，Ａが連接された状態で、打ち抜き加工によって各雌型端子Ａ，・・・，ＡがランナＣから分離されるとともに、底面部Ａ２−１、左右側面部Ａ２−２，Ａ２−３、及び、抱え込み状に重層して上面部を形成する第１の上面部Ａ２−４及び第２の上面部Ａ２−５との夫々を折り曲げて雌型端子Ａを成形する。そして、受入口Ａ２の後方側には、右側面部Ａ２−２と連続して接触バネＡ１が設けられており、その接触部Ａ１−１と右側面部Ａ２−２との間には、折り返ししろとしての離間空間Ｍが形成されるとともに、更に、接触部Ａ３の前方側には、右側面部Ａ２−２を底面部Ａ２−１に対して倒立させた状態で、所定の幅Ｌ１を有する接触バネＡ１と底面部Ａ２−１とを平行に対峙するように折り曲げ加工が施される折り曲げ部Ａ１−２を形成している。前記離間空間を形成することによって、受入口Ａ２から挿入される雄型端子Ｂを内部に収納する空間内に接触バネＡ１を配置することができるとともに、接触部Ａ１−１を折り曲げ部Ａ１−２を支点とした片持ち状で保持するようになるため、その支点部分を軸として接触バネＡ１全体で金属板の素材を利用した弾性を有することになる。
【０００６】
このように金属板から折り曲げ加工によって成形された雌型端子Ａは、底面部Ａ２−１の幅Ｌ２の大きさを有することになり、接触バネＡ１が雄型端子Ｂを内部に収納する空間内に配置されバネ性を阻害しないように可動可能にする必要から、前記幅Ｌ２はＬ１＜Ｌ２の関係を有する。
【特許文献１】特開２０００−２３１９５６号公報
【発明の開示】
【発明が解決しようとする課題】
【０００７】
上述したように、近年、電子部品の小型化や回路基板の小型化に伴い、複数の雌型端子Ａを収納して一つのコネクタで一挙に複数の電気的接続を完了する電気的コネクタの小型化も要望されているものの、その一方で、電気的接続状態の保持するための信頼性の要求も高まってきている。特に、車載電子部品においては、振動の発生によって電子コネクタの接続部分が経時劣化し電気コネクタの接続不良が発生する虞は製造物責任の観点からも避けなければならない問題でもある。
【０００８】
まず、本発明者は、上述した課題を解決するために、電気コネクタのハウジングＨを小型にするには、雌型端子Ａの幅Ｌ２を小さくすれば良いと考えた。そこで、雌型端子Ａを成形する金属板の板厚みを薄くして小さく折り畳んで幅Ｌ２を小さくすることを試みたが、前記金属板の板厚を薄くしすぎると、接触バネＡ１のバネ力が低下するなどして電気的接続強度が低下するといった新たな問題が発生することが判明した。また、このバネ力が低下するといった問題の要因は、接触バネＡ１を形成する金属板を薄くしすぎることとは別に、接触バネＡ１の幅Ｌ１が小さくなることもその要因となる。接触バネＡ１の幅Ｌ１を小さくすると、接触バネＡ１のバネ力が低下するのである。このバネ力が低下すると、雄型端子Ｂとの接触力も低下してしまい、振動や経時的変化で良好な接続状態を維持できない可能性も出てくる。
【０００９】
さらに、板厚を薄くすることによって影響する問題は、上述したような電気的接続強度の問題だけではなく、雌型端子Ａの電流容量の低下の問題にまで派生してしまうといった問題がある。これは雌型端子Ａの電流容量は、その雌型端子Ａの断面積に関連するためで、接触バネＡ１の幅Ｌ１や板厚を薄くすると、この断面積が小さくなって電流容量が低下するのである。
【００１０】
加えて、雌型端子Ａの小型化を追求した場合には、上述した電気的接続強度の問題や電流容量の低下の問題の他、雌型端子Ａを薄くすることによる雌型端子Ａ又は雄型端子Ｂ自体の強度に不安を伴うことにまで派生してしまう。つまり、雌型端子Ａと雄型端子Ｂとの挿抜時や振動などの影響による経時的な摩擦によって端子が破損してしまうといった虞もある。
【００１１】
以上のような問題を本発明者は見出し、雌型端子Ａの板厚を薄くしすぎることなく、雌型端子Ａの幅Ｌ２を小さくするために、雌型端子Ａの構造を抜本的に改良することが必要であるとの結論に到った。
【００１２】
以上のような課題に鑑み、本発明は、電流容量を確保しつつ強度を低下させることなく、雌型端子の幅を小さくして、当該雌型端子の小型化と当該雌型端子の複数を設けて小型化したコネクタハウジングを提供することを目的とする。
【課題を解決するための手段】
【００１３】
以上のような問題に鑑み、この発明では以下のような構成を採用している。
【００１４】
すなわち、第一の発明では、同一厚みの一枚の金属板を正面視略逆「の」字状に折り曲げ加工して形成してなり、ハウジング内に所定の間隔を隔てて複数植設される電気コネクタの雌型端子であって、その先端側に雄型端子の挿入口を形成する一方、後端側に電線が電気的に接続される接続部を設け、前記挿入口から後方に連続して雄型端子の挿入空間を形成し、当該挿入空間の後部には、前記挿入空間を形成する側壁の上部から連続して当該挿入空間内に前記側壁と略平行となるように折り曲げられ、この折り曲げられた部位を、その厚み部分で前記雄型端子と電気的に接続する側面視略Ｕ字状の接触バネとして設けてなることを特徴とする。
【００１５】
この発明によれば、前記挿入空間内に前記側壁と略平行になるように折り曲げられた部位が接触バネとして機能し、当該接触バネが雄型端子と接触して電気的に接続されることになるから、従来の雌型端子のように金属板の面部分で接続するものとは異なり、金属板の厚み部分で雄型端子と接触し、雌型端子の幅を前記金属板の厚みに依存した小型化が達成することができる。つまり、この発明の雌型端子では、前述したように正面視略逆「の」字状としているから、前記金属板の板厚の３倍と折り曲げしろが前記雌型端子の幅となる。
【００１６】
また、従来の金属板の面部分で雄型端子との接触をとる接触バネの場合には、その接触バネのバネ力を増加させようとした場合には、前述した図１２に示す接触バネＡ１の幅Ｌ１を広くする必要があり、その結果、雌型端子の幅Ｌ２が大きくなってしまうが、この発明の雌型端子の場合には、前記側壁から前記挿入空間内に折り曲げられる側面視略Ｕ字状の接触バネの幅を大きくしてバネ力を増大させても、その大きくした幅は、雌型端子の高さ方向で吸収できるため、当該雌型端子の幅の増大とはならないといったメリットがある。
【００１７】
また、前記接触バネを、側面視略Ｕ字状とするとともに前記挿入空間の後部から当該挿入空間内に折り曲げ加工しているから、前記雄型端子を前記雌型端子の後方側の深くまで挿入可能として、挿入しろを多く取ることが可能となる。
【００１８】
第２の発明では、前記側面視略Ｕ字状の接触バネの前記挿入口側の先端部には、後方に向かって漸次に膨出するテーパ部を形成してなることを特徴とする。
【００１９】
このように前記接触バネの前記雄型端子の挿入側の先端にテーパを設けることによって、前記接触バネのバネ力を強くした場合でも、前記雄型端子を前記雌型端子の挿入空間内に導き入れることが可能となる。
【００２０】
このテーパ部と、前記雄型端子としての挿入ピンの先端に加工を施した面取り部とでなす角度を、より小さく設定すれば、当該挿入ピンの挿入時の挿入力のピークを小さく押さえることが可能となる。
【００２１】
第３の発明では、前記側面視Ｕ字状の接触バネと略平行に位置する前記側壁には、前記接触バネの前記雄型端子の挿入凹部と幅方向で一致する位置に、前記挿入口から後方に連続して前記雄型端子の挿入用のスリットを形成することを特徴とする。
【００２２】
この発明によれば、前記雄型端子を前記挿入口の幅よりも幅広なものを使用することが可能となる。すなわち、前記雌型端子の幅を狭く形成した場合、これと連携して当該雌型端子の挿入口の幅も小さくなってしまうが、余りにもその挿入口の幅が小さくなると、挿入すべき前記雄型端子が挿入力に耐え切れずに変形してしまう虞がある。この発明のように、前記接触バネの前記雄型端子の挿入凹部と幅方向で一致する位置に、前記挿入口から後方に連続して前記雄型端子の挿入用のスリットを、前記側壁に形成することによって、前記挿入口の幅よりも前記雄型端子の幅を広くしつつ、前記雌型端子の幅を小さく抑えることが可能となる。
【００２３】
第４の発明では、上記第１の発明ないし第３の発明のいずれかに記載の雌型端子を含む電気コネクタであって、前記雌型端子の複数を所定のピッチを隔てて隣り合う雌型端子との絶縁状態を保持しつつ前後に貫通した雌型端子挿入穴を複数設けた第１のハウジングと、前記雌型端子と電気的に接続される雄型端子を前記所定のピッチと同一のピッチで複数植設した第２のハウジングからなり、前記第１のハウジングと第２のハウジングとを組み付けることによって、前記雌型端子と前記雄型端子との電気的接続をとることを特徴とする。
【００２４】
この発明では、上述したように、前記雌型端子の幅を小さくすることができる結果、第１のハウジング部品の幅を小さくできるとともに、第２のハウジング部品の幅も小さく出来るため、コネクタハウジングの小型化を達成することができる。
【００２５】
また、前記側面視Ｕ字状の接触バネと略平行に位置する前記側壁には、前記接触バネの前記雄型端子の挿入凹部と幅方向で一致する位置に、前記挿入口から後方に連続して前記雄型端子の挿入用のスリットを形成することによって、前記側壁に設けたスリットにより前記雄型端子の挿入穴への挿入時又は振動などによる応力によって左右方向の抉りを許容することができる。すなわち、このスリットを形成しなかった場合には、上述した許容できる抉り範囲が前記雄型端子の弾性又は前記雌型端子の弾性許容範囲に依存してしまうが、このスリットを形成することによって、この弾性許容範囲を超えて抉りを許容することができるのである。
【００２６】
なお、この発明では限定しないが、後述する実施の形態に示すように、前記側面視Ｕ字状の接触バネと略平行に位置する左右側壁の夫々に前記スリットを設けることによって、上述した抉り許容範囲が大きくできるといった効果を奏する。
【発明の効果】
【００２７】
この発明によれば、前記挿入空間内に前記側壁と略平行になるように折り曲げられた部位が接触バネとして機能し、当該接触バネが雄型端子と接触して電気的に接続されることになるから、従来の雌型端子のように金属板の面部分で接続するものとは異なり、金属板の厚み部分で雄型端子と接触するようになるから、雌型端子の幅を前記金属板の厚みに依存した小型化が達成することができる。従って、前記雌型端子を使用するコネクタハウジングの小型化を達成することができる。
【発明を実施するための最良の形態】
【００２８】
以下、本発明の一実施の形態を図面に基づいて説明する。図１は本実施の形態に係る雌型端子１の斜視図、図２は図１に示す雌型端子１の正面図、図３は図１に示す雌型端子１の左側面図、図４は図１に示す雌型端子１の上面図、図５は図１に示す雌型端子１の底面図、図６（Ａ）は図１の雌型端子１の一部を省略した部分断面図、図６（Ｂ）は図１の雌型端子１の一部を省略した説明図、図７は図１の雌型端子１の一部を省略した展開図である。
【００２９】
図において、１は雌型端子であって、この雌型端子１は、図７に示す同一厚みＮ（図７参照）の１枚の金属板を正面視略逆「の」字状に折り曲げ加工して形成される。そして、後述するコネクタハウジング１００内に所定の間隔Ｕ（図８参照）を隔てて複数植設され、電気コネクタを構成するものである。この実施の形態の金属板の厚みＮは、例えば、０．２ｍｍのものを使用している。従来、この種の雌型端子１では、薄型化を追求するために、強度低下や電流容量の不足の問題を重要視しない雌型端子の場合に、金属板の厚みを例えば０．１２ｍｍのものを使用しているものもあり、これに比べれば可也厚い金属板を使用していることになるが、雌型端子１の幅Ｑは、０．２ｍｍ厚の金属板を使用しても、０．１２ｍｍ厚の金属板を使用しているものと、同等又はより小型化を達成しつつ、強度と電流容量の問題もクリアできるようになる。
【００３０】
図７に一点鎖線で示しているのが、折り曲げラインであって、これらの折り曲げラインで折り曲げられて雌型端子１が形成される。そして、この雌型端子１の先端側には、雄型端子１０の挿入口２を形成している。
【００３１】
前記雌型端子１の後端側には、電線Ｗが電気的に接続される接続部３を設け、この接続部３は対向する一対の倒立片３Ａ，３Ｂを有し、電線Ｗの内部導体を剥き出し状態にし、露出状態とした前記内部導体を倒立片３Ａ，３Ｂで抱え込むように折り曲げて接続部３と電気的に接続する。
【００３２】
そして、雌型端子１には、その挿入口２から後方に連続して雄型端子１０の挿入空間４を形成している。この挿入空間４は、一部を挿入口２の形成側から後方に向かって長穴４Ａ−１を形成した底壁４Ａと、該底壁４Ａから連続して倒立した右側壁４Ｂ及び左側壁４Ｃとで囲まれて形成されている。
【００３３】
また、挿入空間４の後部には、挿入空間４を形成する右側壁４Ｂの上部の折り曲げ部４Ｂ−１で、略Ｕ字状の折り曲げ部位を右側壁４Ｂと略平行となるように挿入空間４内に配置して、この折り曲げ部位を雄型端子１０と電気的に接続する側面視略Ｕ字状の接触バネ５として機能させる。
【００３４】
したがって、挿入空間４内に右側壁４Ｂと略平行になるように折り曲げられた部位が接触バネ５として機能し、当該接触バネ５が雄型端子１０と接触して電気的に接続されることになるから、従来の雌型端子のように金属板の面部分で接続されるものとは異なり、金属板の厚みＮ部分で雄型端子１０と接触するようになり、雌型端子１の幅Ｑを金属板の厚みＮに依存した小型化が達成することができる。つまり、この実施の形態の雌型端子１では、前述したように正面視略逆「の」字状としているから、左右側壁４Ｃ，４Ｂの厚みＮの合計と、左右側壁４Ｃ，４Ｂを倒立させるために折り曲げる折り曲げしろＰの合計と、接触バネ５の厚みＮとの合計が雌型端子１の幅Ｑとなる。この実施の形態の場合には、前述したように金属板の厚みＮを０．２ｍｍのものを使用しており、折り曲げしろＰを０．０５ｍｍとして、雌型端子１の幅Ｑが０．７ｍｍの小さい幅とすることができる。
【００３５】
なお、この実施の形態では、右側壁４Ｂから連続して挿入空間４内に折り曲げられて接触バネ５を形成しているがこれに限らず、左側壁４Ｃから連続して挿入空間４内に折り曲げるように形成することもできるのは勿論である。
【００３６】
また、図１１，図１２に示す、従来の金属板の面部分で雄型端子Ｂとの接触をとる接触バネＡ１の場合には、その接触バネＡ１のバネ力を増加させようとすると、接触バネＡ１の幅Ｌ１を広くする必要があり、その結果、雌型端子Ｂの幅Ｌ２が大きくなってしまうが、この実施の形態の雌型端子１の場合には、右側壁４Ｂから挿入空間４内に折り曲げられる側面視略Ｕ字状の接触バネ５の幅Ｒを大きくしてバネ力を増大させても、その大きくした幅Ｒは、雌型端子１の高さＳで吸収できるため、雌型端子１の幅Ｑの増大とはならない。
【００３７】
この実施の形態では、雌型端子１の高さＳをも可及的に小さくすべく、底壁４Ａには、挿入口２の側から後方に向かってその一部を切り欠いた長穴４Ａ−１を形成し、この長穴４Ａ−１で接触バネ５の幅Ｒを逃がすように構成している。
【００３８】
前記側面視略Ｕ字状の接触バネ５の挿入口２側の先端部５Ａには、後方に向かって漸次に膨出するテーパ部５Ａ−１を形成してなる。このテーパ部５Ａ−１と、雄型端子１０としての挿入ピンの先端に加工を施した面取り部１１との間で形成される角度Ｔを小さく設定すれば、挿入ピンの挿入時の挿入力のピークを小さく抑えることが可能となる。
【００３９】
図６（Ａ），図６（Ｂ）を参照して、図６（Ｂ）には、雄型端子１０が雌型端子１に挿入される直前の状態を示しており、この雌型端子１と雄型端子１０との電気的接触部分は、図６（Ａ）における接触バネ５のテーパ部５Ａ−１の頂部５Ａ−２と、右側壁４Ｂの前方の一部の舌片を挿入空間４側に折り曲げた挟持部４Ｂ−３と、雄型端子１０の突き当たり部４Ｂ−４となり、この三箇所で雄型端子１０と雌型端子１とが電気的に接触することになる。雄型端子１０を挟み込んで保持すべく、頂部５Ａ−２と挟持部４Ｂ−３とでなす間隔は、雄型端子１０の厚みよりも若干小さく設定されている。
【００４０】
また、前記側面視Ｕ字状の接触バネ５と略平行に位置する左右側壁４Ｃ，４Ｂには、接触バネ５の雄型端子１０の挿入凹部５Ｂと幅方向で一致する位置に、挿入口２から後方に連続して雄型端子１０の挿入用のスリット４Ｂ−２，４Ｃ−２を形成している。この挿入用のスリット４Ｂ−２，４Ｃ−２を、接触バネ５の雄型端子１０の挿入凹部５Ｂと幅方向で一致する位置に設けることによって、雄型端子１０を挿入口２の幅（Ｎ＋２Ｐ）よりも幅広なものを使用することが可能となる。すなわち、雌型端子１の幅Ｑを狭く形成した場合、これと連携して雌型端子１の挿入口２の幅も小さくなってしまうが、余りにもその挿入口２の幅が小さくなると、挿入すべき雄型端子１０が挿入できなかったり、挿入可能としても嵌入力に耐え切れずに変形してしまう虞がある。この実施の形態のように、接触バネ５の雄型端子１０の挿入凹部５Ｂと幅方向で一致する位置に、挿入口２から後方に連続して雄型端子１０の挿入用のスリット４Ｂ−２，４Ｃ−２を、前記側壁に形成することによって、前記挿入口の幅よりも前記雄型端子１０の幅を広くしつつ、前記雌型端子１の幅を小さく抑えることが可能となる。
【００４１】
前記左側壁の最後部であって接続部３の前方には、雌型端子１の高さＳよりも突出した逆差し防止片６を設けており、この逆差し防止片６によって雌型端子１のコネクタハウジング１００への逆差しを防止することができる。
【００４２】
図８及び図９に基づいて、上述した雌型端子１及び雄型端子１０との夫々の複数を収納するコネクタハウジング１００について説明する。図８は、コネクタハウジング１００の分解斜視図、図９はコネクタハウジング１００の雄ハウジング１１０の縦断面図である。以下で説明する雄ハウジング１１０は本発明の第１のハウジング、雌ハウジング１２０は本発明の第２のハウジングに相当する。
【００４３】
コネクタハウジング１００は、雌型端子１の複数を所定のピッチＶを隔てて隣り合う雌型端子１との絶縁状態を保持しつつ収納する雌型端子収納空間１１２と、外部に開口し雌型端子収納空間１１２と連通した雌型端子挿入穴１１１と、雌型端子収納空間１１２と連通して雌型端子収納穴１１１と対峙する位置に設けられた雄型端子１０の雄型端子挿入穴１１３とを複数設けた雄ハウジング１１０と、雄型端子１０を所定のピッチＶで複数植設した雌ハウジング１２０からなり、雄ハウジング１１０を雌ハウジング１２０に挿入することによって組み付け、雌型端子１と雄型端子１０との電気的接続をとり、雄型端子１０の雄型端子実装部１２を介して、図示しない例えば回路基板に電線Ｗからの信号などを伝達する。
【００４４】
前記雄ハウジング１１０は、２分割で構成されており、前記雌型端子挿入穴１１１を備えた第１の雄ハウジング部品１１０Ａと、雄型端子挿入口１１３を雌型端子収納空間１１２を介して雌型端子挿入穴１１１と対向配置した第２の雄ハウジング部品１１０Ｂとから構成されている。
【００４５】
そして、図９（Ａ）に示すように、第１の雄ハウジング部品１１０Ａを第２の雄ハウジング部品１１０Ｂに十分挿入して組み付けていない状態で、雌型端子挿入穴１１１から雌型端子挿入穴１１１を挿入する。この第１の雄ハウジング部品１１０Ａを第２の雄ハウジング部品１１０Ｂに十分挿入して組み付けていない状態においては、雌型端子１を第１の雄ハウジング部品１１０Ａに挿入する場合、第１の雄ハウジング部品１１０Ａ内の雌型端子収納空間１１２の内壁に設けられた段部１１２Ａに当接するまで圧入する。この時、雌型端子１の逆差し防止片６の後部が雌型端子収納空間１１２内の第１の挟持部１１２Ｂに対峙又は当接する状態となり、この第１の挟持部１１２Ｂを雌型端子挿入穴１１１側から漸次立ち上がるテーパ状とした凸部としてあるから、一旦、雌型端子挿入穴１１１から雌型端子収納空間１１２に挿入された雌型端子１は、第１の挟持部１１２Ｂがストッパとなって雌型端子挿入穴１１１から抜けることを防止できるようになっている。
【００４６】
次に、第１の雄ハウジング部品１１０Ａ内の雌型端子収納空間１１２の全てにそれぞれ雌型端子１を圧入した後、図９（Ｂ）に示すように、第２の雄ハウジング部品１１０Ｂを外嵌挿入する。この第２の雄ハウジング部品１１０Ｂの雌型端子収納空間１１２の内壁には、第２の挟持部１１２Ｃを形成している。この第２の挟持部１１２Ｃと第１の挟持部１１２Ｂとで逆差し防止片６を挟持して、雌型端子１を保持するようにしている。
【産業上の利用可能性】
【００４７】
この発明は、車載用電子部品などに使用される電気コネクタの雌型端子及び当該端子を備えたコネクタハウジングに利用される。この本発明の雌型端子を利用したコネクタハウジングを用いて電子部品を実装した回路基板と他の回路基板、又は外部とをハーネスを介して電気的に接続する場合に、前記コネクタハウジングのオスハウジング又はメスハウジングを前記回路基板に実装するが、この実装面積を雌型端子の幅の縮小化及びこの縮小化に伴うコネクタハウジングの小型化によって、回路基板の小型化を達成することができる。したがって、電装系全般の小型化に寄与することができる雌型端子及び当該端子を備えたコネクタハウジングを提供することができる。
【図面の簡単な説明】
【００４８】
【図１】本実施の形態に係る雌型端子１の斜視図である。
【図２】図１に示す雌型端子１の正面図である。
【図３】図１に示す雌型端子１の左側面図である。
【図４】図１に示す雌型端子１の上面図である。
【図５】図１に示す雌型端子１の底面図である。
【図６】（Ａ）は図１の雌型端子１の一部を省略した部分断面図、（Ｂ）は図１の雌型端子１の一部を省略した説明図である。
【図７】図１の雌型端子１の一部を省略した展開図である。
【図８】コネクタハウジング１００の分解斜視図である。
【図９】コネクタハウジング１００の雄ハウジング１１０の縦断面図である。
【図１０】従来の雌型端子Ａをハウジングに挿入してなる電気コネクタと、これに嵌合する相手側コネクタの縦断面図である。
【図１１】図１０の雌型端子Ａの縦断面図である。
【図１２】図１０の雌型端子Ａの展開状態を示し、曲げ加工する前の説明図である。
【符号の説明】
【００４９】
１          雌型端子
２          挿入口
３          接続部
３Ａ        倒立片
３Ｂ        倒立片
４          挿入空間
４Ａ        底壁
４Ａ−１    長穴
４Ｂ        右側壁
４Ｂ−１    折り曲げ部
４Ｃ        左側壁
５          接触バネ
５Ａ        先端部
５Ａ−１    テーパ部
５Ｂ        挿入凹部
６          逆差し防止片
１０        雄型端子
１１        面取り部
１２        雄型端子実装部
１００      コネクタハウジング
１１０      雄ハウジング
１１０Ａ    第１の雄ハウジング部品
１１０Ｂ    第２の雄ハウジング部品
１２０      雌ハウジング
Ｎ          金属板の厚み
Ｗ          電線
Ｐ          折り曲げしろ
Ｑ          雌型端子の幅
Ｒ          接触バネの幅
Ｓ          雌型端子の高さ
Ｔ          角度
Ｕ          所定の間隔
Ｖ          所定のピッチ
【図１】
2005174831.tif 000003
【図２】
2005174831.tif 000004
【図３】
2005174831.tif 000005
【図４】
2005174831.tif 000006
【図５】
2005174831.tif 000007
【図６】
2005174831.tif 000008
【図７】
2005174831.tif 000009
【図８】
2005174831.tif 000010
【図９】
2005174831.tif 000011
【図１０】
2005174831.tif 000012
【図１１】
2005174831.tif 000013
【図１２】
2005174831.tif 000014